(57)【要約】【課題】プログラムが予め記録されている記録媒体であっても、所望のデータを再生可能に記録できるようにする消去プログラム及び記録媒体の提供。【解決手段】消去プログラムは、コンピュータを、書き換え可能な記録媒体に予め記録されたデータ生成プログラムやデータ記録プログラムなどの特定のプログラムが、記録装置にインストール又は記録手段にコピー又はメモリ上に展開されて動作可能な状態になったり、記録媒体に予め記録された起動プログラムにより記録装置に予めインストール又は記録手段にコピー又はメモリ上に展開された特定のプログラムが動作可能な状態になったら、少なくとも特定のプログラム又は起動プログラムを記録媒体から消去する手段として機能させるものであり、Ｖｉｄｅｏ−ＣＤ形式データのように記録領域が規定されるデータであっても記録媒体に再生可能に書き込むことができる。【選択図】図６
2006024078.tif 000002
【特許請求の範囲】
【請求項１】
コンピュータを、
書き換え可能な記録媒体に予め記録された特定のプログラムが、該記録媒体が装填される機器で動作可能な状態になったことを条件として、前記記録媒体から少なくとも前記特定のプログラムを消去する消去手段、として機能させることを特徴とする消去プログラム。
【請求項２】
コンピュータを、
書き換え可能な記録媒体に予め記録された起動プログラムにより起動される特定のプログラムが、該記録媒体が装填される機器で動作可能な状態になったことを条件として、前記記録媒体から少なくとも前記起動プログラムを消去する消去手段、として機能させることを特徴とする消去プログラム。
【請求項３】
前記記録媒体に予め自身の消去プログラムが記録され、
前記消去手段は、前記記録媒体から前記自身の消去プログラムも消去することを特徴とする請求項１又は２に記載の消去プログラム。
【請求項４】
前記特定のプログラムが前記機器で動作可能な状態とは、前記特定のプログラムが前記機器にインストールされた状態、前記特定のプログラムが前記機器の記録手段にコピーされた状態、又は、前記特定のプログラムが前記機器のメモリ上に展開された状態のいずれかであることを特徴とする請求項１乃至３のいずれか一に記載の消去プログラム。
【請求項５】
前記特定のプログラムは、
コンピュータを、前記機器に入力された画像データに基づいて他の形式のデータを生成する手段として機能させるデータ生成プログラム、又は、コンピュータを、少なくとも生成された前記データを自身のプログラムが記録されている記録媒体に記録する手段として機能させるデータ記録プログラムのいずれかを含むことを特徴とする請求項１乃至４のいずれか一に記載の消去プログラム。
【請求項６】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項５記載の消去プログラム。
【請求項７】
特定のプログラムと、
コンピュータを、書き換え可能な記録媒体に予め記録された前記特定のプログラムが、該記録媒体が装填される機器で動作可能な状態になったことを条件として、前記記録媒体から少なくとも前記特定のプログラムと自身のプログラムとを消去する消去手段、として機能させる消去プログラムと、が記録されていることを特徴とする書き換え可能な記録媒体。
【請求項８】
起動プログラムと、
コンピュータを、書き換え可能な記録媒体に予め記録された起動プログラムにより起動される特定のプログラムが、該記録媒体が装填される機器で動作可能な状態になったことを条件として、前記記録媒体から少なくとも前記起動プログラムと自身のプログラムとを消去する消去手段、として機能させる消去プログラムと、が記録されていることを特徴とする書き換え可能な記録媒体。
【請求項９】
前記特定のプログラムが前記機器で動作可能な状態とは、前記特定のプログラムが前記機器にインストールされた状態、前記特定のプログラムが前記機器の記録手段にコピーされた状態、又は、前記特定のプログラムが前記機器のメモリ上に展開された状態のいずれかであることを特徴とする請求項７又は８に記載の書き換え可能な記録媒体。
【請求項１０】
前記特定のプログラムは、
コンピュータを、前記機器に入力された画像データに基づいて他の形式のデータを生成する手段として機能させるデータ生成プログラム、又は、コンピュータを、少なくとも生成された前記データを自身のプログラムが記録されている記録媒体に記録する手段として機能させるデータ記録プログラムのいずれかを含むことを特徴とする請求項７乃至９のいずれか一に記載の書き換え可能な記録媒体。
【請求項１１】
前記他の形式のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１０記載の書き換え可能な記録媒体。
【発明の詳細な説明】
【技術分野】
【０００１】
本発明は、記録媒体に予め記録されたプログラム又はデータを消去する消去プログラム及び記録媒体に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤ形式やＤＶＤ−Ｖｉｄｅｏ形式などのデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
上記サービスの利用形態は様々であり、写真店などに設置されたキオスクなどの端末を用いて記録媒体に画像データを書き込むユーザもいれば、自己が保有するパーソナルコンピュータなどのコンピュータ機器を用いて自宅で記録媒体に画像データを書き込むことを望むユーザもいる。また、自宅で記録媒体に画像データや画像再生機器用データを書き込むためには、オリジナルの画像データから画像再生機器用データを生成したり、これらのデータを書き込むためのアプリケーションが必要であり、更に、画像データをコンピュータ機器でも再生できるようにするためには、画像データをコンピュータ機器で再生させるためのアプリケーションも必要となる。
【０００５】
ここで、キオスクなどの端末で画像データを書き込む場合は、ブランクの記録媒体を端末にセットすればアプリケーションやオリジナル画像データ、画像再生機器用に変換されたデータなどが自動的に記録媒体に書き込まれるが、自宅のコンピュータ機器などで画像データを書き込む場合は、上記アプリケーションがなければオリジナル画像データから画像再生機器用データを生成したり、これらのデータを記録媒体に書き込むことはできない。そこで、このような場合は、予め所定のアプリケーションが記録された記録媒体をユーザに提供する必要がある。
【０００６】
しかしながら、アプリケーションが予め記録されている記録媒体に画像再生機器用データを記録しても、画像再生機器では、記録媒体の最内周のセッションに画像再生機器用データが記録されていないと再生することができないため、ユーザはアプリケーションが記録された記録媒体を利用して画像再生機器用データを追記することができないという問題がある。
【０００７】
本発明は、上記問題点に鑑みてなされたものであって、その主たる目的は、プログラムが予め記録されている記録媒体であっても、所望のデータを再生可能に記録できるようにする消去プログラム及び記録媒体を提供することにある。
【課題を解決するための手段】
【０００８】
上記目的を達成するため、本発明の消去プログラムは、コンピュータを、書き換え可能な記録媒体に予め記録された特定のプログラムが、該記録媒体が装填される機器で動作可能な状態になったことを条件として、前記記録媒体から少なくとも前記特定のプログラムを消去する消去手段、として機能させるものである。
【０００９】
また、本発明の消去プログラムは、コンピュータを、書き換え可能な記録媒体に予め記録された起動プログラムにより起動される特定のプログラムが、該記録媒体が装填される機器で動作可能な状態になったことを条件として、前記記録媒体から少なくとも前記起動プログラムを消去する消去手段、として機能させるものである。
【００１０】
本発明においては、前記記録媒体に予め自身の消去プログラムが記録され、前記消去手段は、前記記録媒体から前記自身の消去プログラムも消去する構成とすることができる。
【００１１】
また、本発明においては、前記特定のプログラムが前記機器で動作可能な状態とは、前記特定のプログラムが前記機器にインストールされた状態、前記特定のプログラムが前記機器の記録手段にコピーされた状態、又は、前記特定のプログラムが前記機器のメモリ上に展開された状態のいずれかとすることができる。
【００１２】
また、本発明においては、前記特定のプログラムは、コンピュータを、前記機器に入力された画像データに基づいて他の形式のデータを生成する手段として機能させるデータ生成プログラム、又は、コンピュータを、少なくとも生成された前記データを自身のプログラムが記録されている記録媒体に記録する手段として機能させるデータ記録プログラムのいずれかを含む構成とすることができ、前記他の形式のデータは、Ｖｉｄｅｏ−ＣＤ形式、ＤＶＤ−Ｖｉｄｅｏ形式、又は、ＨＤＴＶ形式のいずれかの形式のデータであることが好ましい。
【００１３】
また、本発明の書き換え可能な記録媒体は、特定のプログラムと、コンピュータを、書き換え可能な記録媒体に予め記録された前記特定のプログラムが、該記録媒体が装填される機器で動作可能な状態になったことを条件として、前記記録媒体から少なくとも前記特定のプログラムと自身のプログラムとを消去する消去手段、として機能させる消去プログラムと、が記録されているものである。
【００１４】
また、本発明の書き換え可能な記録媒体は、起動プログラムと、コンピュータを、書き換え可能な記録媒体に予め記録された起動プログラムにより起動される特定のプログラムが、該記録媒体が装填される機器で動作可能な状態になったことを条件として、前記記録媒体から少なくとも前記起動プログラムと自身のプログラムとを消去する消去手段、として機能させる消去プログラムと、が記録されているものである。
【００１５】
このように、本発明の構成によれば、書き換え可能な記録媒体を機器に装填すると、該記録媒体に予め記録された特定のプログラムが機器にインストール又は機器の記録手段にコピー又は機器のメモリ上に展開されて動作可能な状態となり、又は、機器に予めインストール又は機器の記録手段にコピー又は機器のメモリ上に展開された特定のプログラムを起動させるための起動プログラムが起動して特定のプログラムが動作可能な状態となり、記録媒体に予め記録又は機器に予めインストールされた消去プログラムは、特定のプログラムが機器で動作可能な状態になったことを条件として、記録媒体から少なくとも特定のプログラム又は起動プログラムを消去する制御を行うため、予めプログラムが記録されている記録媒体であっても、入力した画像データや該画像データに基づいて生成されたデータを記録媒体の適切な領域に記録することができる。
【発明の効果】
【００１６】
以上説明したように、本発明の消去プログラム及び記録媒体によれば、予め特定のプログラムや起動プログラムが記録されている記録媒体であっても、入力した画像データや該画像データに基づいて生成されたデータを記録媒体の適切な領域に記録することができる。
【００１７】
その理由は、書き換え可能な記録媒体には、予め、入力された画像データに基づいて画像再生機器用のデータなどを生成するデータ生成プログラムや入力された画像データや生成されたデータを自身のプログラムが記録されている記録媒体に記録するデータ記録プログラムなどの特定のプログラムが記録されており、この記録媒体を記録装置に装填すると、該記録媒体に予め記録された特定のプログラムが、記録装置にインストール又は記録装置の記録手段にコピー又は記録装置のメモリ上に展開されて動作可能な状態となり、記録媒体に予め記録又は記録装置に予めインストールされた消去プログラムは、特定のプログラムが記録装置で動作可能な状態になったことを条件として、記録媒体から少なくとも特定のプログラムを消去する制御を行うからである。
【００１８】
また、書き換え可能な記録媒体に予め特定のプログラムを起動させる起動プログラムが記録されている形態では、この記録媒体を記録装置に装填すると、起動プログラムにより記録装置に予めインストール又は記録装置の記録手段にコピー又は記録装置のメモリ上に展開された特定のプログラムが動作可能な状態となり、記録媒体に予め記録又は記録装置に予めインストールされた消去プログラムは、特定のプログラムが記録装置で動作可能な状態になったことを条件として、記録媒体から少なくとも起動プログラムを消去する制御を行うからである。
【発明を実施するための最良の形態】
【００１９】
本発明の消去プログラムは、その好ましい一実施の形態において、コンピュータを、書き換え可能な記録媒体に予め記録された、入力された画像データに基づいて画像再生機器用データなどを生成するためのデータ生成プログラムや入力された画像データや生成されたデータを自身のプログラムが記録されている記録媒体に記録するためのデータ記録プログラムなどの特定のプログラムが、記録装置にインストール又は記録装置の記録手段にコピー又は記録装置のメモリ上に展開されて動作可能な状態になった場合、又は、記録媒体に予め記録された起動プログラムにより記録装置に予めインストール又は記録装置の記録手段にコピー又は記録装置のメモリ上に展開された特定のプログラムが動作可能な状態になった場合、少なくとも特定のプログラム又は起動プログラムを記録媒体から消去する手段として機能させるものであり、ＤＶＤプレーヤやＤＶＤレコーダ、ＨＤＤレコーダ、ゲーム機などの画像再生機器で再生可能なＶｉｄｅｏ−ＣＤ形式、ＤＶＤ−Ｖｉｄｅｏ形式、ＨＤＴＶ形式のデータなどのように記録媒体における記録領域が規定されるデータであっても、予め特定のプログラムや起動プログラムが記録された記録媒体に書き込むことができる。
【実施例１】
【００２０】
上記実施形態について詳細に説明すべく、本発明の第１の実施例に係る消去プログラム及び記録媒体について、図１乃至図９を参照して説明する。図１は、本実施例に係る記録装置の外観構成を模式的に示す図であり、図２乃至図５は、そのバリエーションを示す図である。また、図６は、本実施例の消去プログラムを利用したデータの記録手順を示すフローチャート図であり、図７は、記録媒体におけるデータの記録領域を示す図である。また、図８は記録媒体（ＣＤ−Ｒ）の構造を模式的に示す図であり、図９は、記録媒体におけるデータの記録構造を示す図である。なお、本実施例は、後述する特定のプログラムが記録媒体に予め記録されていることを特徴とするものである。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２１】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１に接続するネットワーク接続部等のデータを入力するための手段と、本実施例の特徴である記録媒体９を装填する記録媒体装填部４などのデータを記録するための手段と、ボタン、キーボード、マウス等の操作手段６及びＬＣＤ、ＣＲＴ等の表示手段５とを備えている。
【００２２】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしてもよいし、演算処理機能を備えたカーナビゲーション機器などとすることもできる。
【００２３】
また、記録装置１の記録媒体装填部４に装填される記録媒体９は、ＣＤ−ＲＷやＤＶＤ−ＲＷ、ＤＶＤ−ＲＡＭ、Ｂｌｕ−ｒａｙディスク等の書き換え可能な記録媒体（以下、単に記録媒体９と呼ぶ。）であり、該記録媒体９には予め、少なくとも後述するデータ生成プログラムやデータ記録プログラムなどの特定のプログラムが記録されている。
【００２４】
上記データ生成プログラムは、コンピュータを、入力された画像データのデータサイズを縮小したサムネイル画像データやスクリーンネイル画像データなどの縮小画像データを作成したり、画像データに基づいてＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成する手段として機能させるものであり、また、上記データ記録プログラムは、コンピュータを、入力された画像データや生成された画像再生機器用データを自身のプログラムが記録されている記録媒体９に記録させる手段として機能させるものであるが、特定のプログラムは上記データ生成プログラム又は上記データ記録プログラムに限らず、入力された画像データに関する処理を実行するものであればよく、例えば、入力された画像データを表示させるための表示プログラムなどとすることもできる。
【００２５】
また、本実施例の特徴である消去プログラムは、コンピュータを、記録媒体９に予め記録されたデータ生成プログラムやデータ記録プログラムなどの特定のプログラムが記録装置１にインストールされたり、記録装置１のＨＤＤなどの記録手段にコピーされたり、記録装置１のメモリ上に展開されるなど、記録装置１で動作可能な状態になったことを条件として、少なくとも特定のプログラムを記録媒体９から消去する手段として機能させるものであり、この消去プログラムは、特定のプログラムと同様に記録媒体９に予め記録されていてもよいし、記録装置１に予めインストール又はＨＤＤなどの記録手段に記録又はメモリ上に展開されていてもよい。
【００２６】
なお、本明細書では、消去プログラムと特定のプログラムとを別々のプログラムとして記述しているが、消去プログラムにより機能する手段の中に特定のプログラムにより機能する手段が含まれるようにしてもよいし、逆に、特定のプログラムにより機能する手段の中に消去プログラムにより機能する手段が含まれるようにしてもよい。又、特定のプログラムは、データ生成プログラムとデータ記録プログラムの双方を含んでいてもよいし、いずれか一方のみであってもよいし、他のプログラムを含んでいてもよい。
【００２７】
次に、上記構成の記録装置１及び記録媒体９を用いて、該記録媒体９に画像再生機器用データなどを記録する手順について、図６のフローチャート図を参照して説明する。なお、以下では、データ生成プログラム及びデータ記録プログラムの双方が記録媒体９に記録されている場合について示すが、いずれか一方が、記録装置１に予めインストール又はＨＤＤなどの記録手段に記録又はメモリ上に展開され、又は、ハードウェアとして構成されていてもよい。
【００２８】
まず、ステップＳ１０１で、記録装置１の記録媒体装填部４に、予め、データ生成プログラムやデータ記録プログラムなどの特定のプログラムと、必要に応じて消去プログラムや画像データなどの他のプログラムやデータとが記録されている、ＣＤ−ＲＷやＤＶＤ−ＲＷ、ＤＶＤ−ＲＡＭ、Ｂｌｕ−ｒａｙディスクなどの書き換え可能な記録媒体９を装填する。
【００２９】
この記録媒体９は書き換え可能な記録媒体である限りにおいて、どのような形態の記録媒体を用いてもよいが、データの不正なコピーを未然に防止するために、所定の識別情報が書き込まれている記録媒体を用いることもでき、その場合は、ステップＳ１０２で、記録媒体９の特定の領域から識別情報を読み出す。その際、上記識別情報は適正な記録媒体にデータを記録するために設けるものであるため、識別情報の記録場所や中身が容易に知られてしまうと識別情報自体もコピーされてしまい、適正にデータを記録することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３０】
ここで、一般的な記録媒体の構造について、図８を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００３１】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００３２】
次に、記録媒体９の所定の領域に上記識別情報が記録されている場合は、ステップＳ１０３で、記録媒体９に予め記録されているデータ生成プログラムやデータ記録プログラムなどの特定のプログラム、必要に応じて消去プログラムや画像データなどを読み込み、読み込んだ特定のプログラムや消去プログラムを記録装置１にインストール又は記録装置１に設けられたＨＤＤなどの記録手段にコピー又はメモリ上に展開して、特定のプログラムや消去プログラムを記録装置１上で動作可能な状態にする。なお、特定のプログラムや消去プログラムのインストールやコピー、メモリ上への展開は記録装置１の操作者が行ってもよいし、記録媒体９や記録装置１に予めこれらの処理を実行するためのプログラム（例えば、自動起動プログラムやインストールプログラム）を記録しておき、記録媒体９が装填されたり識別情報が確認されたら上記プログラムが起動し、特定のプログラムや消去プログラムが記録装置１上で動作可能な状態になるようにしてもよい。また、上述したように、消去プログラムは記録媒体９に予め記録されていなくてもよく、記録装置１に予めインストール又は記録装置１の記録手段に記録又はメモリ上に展開されていてもよい。
【００３３】
次に、ステップＳ１０４で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ１０５で、デジタルカメラ７やメディア８、サーバ１１から画像データ（静止画像データ、動画データ、画像情報を一部に含むデータなど）や音楽データなどを読み取る。その際、表示手段５や操作手段６を用いて記録媒体に書き込みを行うデータを選択してもよい。また、記録媒体９に予め画像データが記録されている場合は、該記録媒体９から画像データなどを読み取ってもよいし、他の記録媒体から画像データなどを読み取ってもよい。
【００３４】
次に、ステップＳ１０６で、データ生成プログラムを起動させ（記録装置１の操作者が起動させてもよいし、データの読み取りが終了したら自動的に起動するようにしてもよい。）、ステップＳ１０７で、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３５】
次に、ステップＳ１０８で、読み取った画像データに基づいて動画データを生成した後、必要に応じてその動画データにＢＧＭとなる音楽が記録された音楽データを合成し、合成された動画データをＤＶＤプレーヤやＤＶＤレコーダ、ＨＤＤレコーダ、ゲーム機等の画像再生機器で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３６】
次に、入力された画像データやデータ生成プログラムにより生成された縮小画像データや画像再生機器用データを記録媒体９に書き込むが、その際、画像再生機器ではデータを読み込むことができる領域が限定されており、通常、ディスク型記録媒体の最内周にデータが書き込まれていなければ画像再生機器で再生することができない。そこで、本実施例では、ステップＳ１０９で、本発明の特徴である消去プログラムを起動させ（記録装置１の操作者が起動させてもよいし、画像再生機器用データの生成が終了したら自動的に起動するようにしてもよい。）、ステップＳ１１０で、記録媒体９に予め記録されていた特定のプログラムが記録装置１にインストール又はコピー又はメモリ上に展開され、動作可能な状態であることを条件として、記録媒体９から特定のプログラムと、必要に応じて消去プログラムや画像データなどの他のプログラムやデータを消去する。
【００３７】
なお、ここではステップＳ１０８で画像再生機器用データ生成後、データの記録前に消去プログラムにより記録媒体９から少なくとも特定のプログラムを消去しているが、消去のタイミングは、特定のプログラムが動作可能な状態になった後であればいつでもよく、例えば、ステップＳ１０３で、特定のプログラムをインストール又はコピー又はメモリ上に展開した直後に消去してもよいし、ステップＳ１０６でデータ生成プログラムを起動させる前に消去してもよい。また、消去プログラムは少なくとも特定のプログラムを消去する機能を有するものであればよく、後の工程で記録するデータの再生に影響がなければ（例えば、コンピュータ機器で再生するための画像データを記録する場合）、消去プログラムや画像データなどの他のプログラムやデータは消去しなくてもよい。
【００３８】
その後、ステップＳ１１１でデータ記録プログラムを起動させ（記録装置１の操作者が起動させてもよいし、データの消去が終了したら自動的に起動するようにしてもよい。）、ステップＳ１１２で生成された画像再生機器用データや関連付けファイル等（以下、これらを総称して画像再生機器用データ群と呼ぶ。）を記録媒体９の内側に書き込み、必要に応じてセッションをクローズした後、ステップＳ１１３で、入力された画像データや必要に応じて縮小画像データや情報ファイル、ＢＧＭとして使用する音楽データなど（以下、これらを総称してコンピュータ機器用データ群と呼ぶ。）を画像再生機器用データ群の外側に書き込み処理を終了する。
【００３９】
上記手順で作成された記録媒体９には、図７（ｂ）に示すように、最も内側の論理アドレス領域外には、所定の形式（好ましくはファイル名式でないデータ形式）の識別情報が記録され、その外側の論理アドレス領域の内側の、特定のプログラムや消去プログラムなどが書き込まれていた領域には、画像再生機器用データ群が記録され、更にその外側には入力された画像データを含むコンピュータ機器用データ群が記録される。
【００４０】
なお、記録媒体９におけるデータの記録構造は任意であるが、例えば、図９に示すような構造にすることができる。この構造では、”PS_Roll”フォルダ内の、画像データ、サムネイル画像データ、スクリーンネイル画像データ、記録媒体９に関する各種情報が記録された情報ファイル（info.txt）と、”APPL”フォルダ内の、スライドショープログラム、スライドショーの設定ファイルと、自動起動ファイル（Autorun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００４１】
また、上記画像データ群の記録に際して、画像データ群をデータ管理装置などにバックアップした場合における管理を容易にするために、予め定められたルールに従ってフォルダを構成し、そのフォルダや画像データにユニークな名称を付与することが好ましい。例えば、図９に示すように、画像データの格納場所を示すフォルダ（PS_Roll）の下位の階層にメディア毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）を作成したり、各々の画像データをCCYYMMDDxxxxxx（CC：画像データの種別、YYMMDD：書き込み年月日を特定する数字、xxxxxx：シーケンシャル番号）などにリネームすることもできる。
【００４２】
このように、本実施例の記録媒体９には、予め、少なくともデータ生成プログラムやデータ記録プログラムなどの特定のプログラムが記録されており、該記録媒体９を記録装置１に装填すると、特定のプログラムが記録装置１にインストール又は記録手段にコピー又はメモリ上に展開され、消去プログラムは、特定のプログラムが記録装置１で動作可能な状態であることを条件として、記録媒体９から少なくとも特定のプログラムを消去し、その後、入力された画像データや該画像データに基づいて生成された画像再生機器用データを記録媒体９に書き込む制御を行う。これにより、書き込み領域が特定される画像再生機器用データであっても、該データを画像再生機器で再生可能に書き込むことができるため、特定のプログラムが予め記録された記録媒体を書き込み用記録媒体として利用することができる。
【実施例２】
【００４３】
次に、本発明の第２の実施例に係る消去プログラム及び記録媒体について、図１０乃至図１２を参照して説明する。図１０は、本実施例の記録装置の構成を示すブロック図であり、図１１は、本実施例の消去プログラムを利用したデータの記録手順を示すフローチャート図である。また、図１２は、記録媒体におけるデータの記録領域を示す図である。
【００４４】
前記した第１の実施例では、データ生成プログラムやデータ記録プログラムなどの特定のプログラムを予め記録媒体９に記録しておく構成としたが、特定のプログラムを記録装置１に予めインストール又はＨＤＤなどの記録手段に記憶しておき、記録媒体９には特定のプログラムを起動させるための起動プログラムを記録しておくことによっても同様の処理を実現することができる。以下、その具体的構成について説明する。
【００４５】
図１０に示すように、本実施例の記録装置１は、メディア８を装填するメディア装填部２、デジタルカメラ７やカメラ付き携帯電話機７ａ等の撮影機器を有線又は無線、赤外線等によって接続するための機器接続部３、インターネット等の通信ネットワーク１０を介してサーバ１１に接続するネットワーク接続部等のデータ入力手段１２と、コンピュータを、入力された画像データのデータサイズを縮小したサムネイル画像データやスクリーンネイル画像データなどの縮小画像データを作成したり、画像データをＤＶＤプレーヤやＤＶＤレコーダ、ＨＤＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成する手段として機能させるデータ生成プログラムにより機能する手段１３と、コンピュータを、入力された画像データや生成された画像再生機器用データを自身のプログラムが記録されている記録媒体９に記録させる手段として機能させるデータ記録プログラムにより機能する手段１４と、ボタン、キーボード、マウス等の操作手段６及びＬＣＤ、ＣＲＴ等の表示手段５とを備えている。
【００４６】
また、記録装置１の記録媒体装填部４に装填される記録媒体９は、ＣＤ−ＲＷやＤＶＤ−ＲＷ、ＤＶＤ−ＲＡＭ、Ｂｌｕ−ｒａｙディスク等の書き換え可能な記録媒体であり、該記録媒体９には予め、少なくとも、データ生成プログラムやデータ記録プログラムなどの特定のプログラムを起動させるための起動プログラムが記録されている。
【００４７】
なお、本実施例においても消去プログラムは、起動プログラムと同様に記録媒体９に予め記録されていてもよいし、記録装置１に予めインストール又はＨＤＤなどの記録手段に記録又はメモリ上に展開されていてもよい。また、消去プログラムにより機能する手段の中に特定のプログラムにより機能する手段が含まれるようにしてもよいし、逆に、特定のプログラムにより機能する手段の中に消去プログラムにより機能する手段が含まれるようにしてもよい。
【００４８】
次に、上記構成の記録装置１及び記録媒体９を用いて、該記録媒体９に画像再生機器用データなどを記録する手順について、図１１のフローチャート図を参照して説明する。
【００４９】
まず、ステップＳ２０１で、記録装置１の記録媒体装填部４に、予め、データ生成プログラムやデータ記録プログラムなどの特定のプログラムを起動させる起動プログラムと、必要に応じて消去プログラムや画像データなどの他のプログラムやデータとが記録されている、ＣＤ−ＲＷやＤＶＤ−ＲＷ、ＤＶＤ−ＲＡＭ、Ｂｌｕ−ｒａｙディスクなどの書き換え可能な記録媒体９を装填する。
【００５０】
次に、必要に応じて、ステップＳ２０２で、記録媒体９の特定の領域から識別情報を読み出す。なお、第１の実施例と同様に、この識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。また、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００５１】
次に、記録媒体９の所定の領域に上記識別情報が記録されている場合は、ステップＳ２０３で、記録媒体９に予め記録されている起動プログラムを起動させ、記録装置１に予めインストール又はＨＤＤなどの記録手段に記録又はメモリ上に展開された特定のプログラムを記録装置１上で動作可能な状態にする。なお、上述したように、消去プログラムは記録媒体９に予め記録されていても、記録装置１に予めインストール又は記録手段に記録又はメモリ上に展開されていてもよいが、記録媒体９に予め記録されている場合は、操作者の操作又は上記起動プログラムなどによって記録装置１上で動作可能な状態にする。
【００５２】
次に、ステップＳ２０４で、記録装置１のメディア装填部２にメディア８を装填、又は、機器接続部３にデジタルカメラ７やカメラ付き携帯電話機７ａを接続、又はネットワーク接続部を通信ネットワーク１０に接続し、ステップＳ２０５で、データ入力手段１２を用いて、デジタルカメラ７やメディア８、サーバ１１から画像データなどを読み取る。その際、表示手段５や操作手段６を用いて記録媒体に書き込みを行うデータを選択してもよく、また、記録媒体９に予め画像データが記録されている場合は、該記録媒体９から画像データを読み取ってもよいし、他の記録媒体から画像データを読み取ってもよい。
【００５３】
次に、ステップＳ２０６で、データ生成プログラムを起動させ（記録装置１の操作者が起動させてもよいし、データの読み取りが終了したら自動的に起動するようにしてもよい。）、ステップＳ２０７で、読み取った画像データのデータサイズを縮小したサムネイル画像データやスクリーンネイル画像データなどの縮小画像データを作成し、引き続き、ステップＳ２０８で、読み取った画像データに基づいて動画データを生成した後、必要に応じてその動画データにＢＧＭとなる音楽が記録された音楽データを合成し、合成された動画データをＤＶＤプレーヤやＤＶＤレコーダ、ＨＤＤレコーダ、ゲーム機等の画像再生機器３０で再生可能なデータ（Ｖｉｄｅｏ−ＣＤ形式、ＤＶＤ−Ｖｉｄｅｏ形式、ＨＤＴＶ形式などのデータ）に変換する。
【００５４】
次に、ステップＳ２０９で、消去プログラムを起動させ（記録装置１の操作者が起動させてもよいし、画像再生機器用データの生成が終了したら自動的に起動するようにしてもよい。）、ステップＳ２１０で、記録装置１に予めインストール又は記録手段に記録又はメモリ上に展開されている特定のプログラムが記録装置１で動作可能な状態であることを条件として、記録媒体９から起動プログラムと、必要に応じて消去プログラムや画像データなどの他のプログラムやデータを消去する。なお、本実施例においても、消去プログラムによる起動プログラムの消去は、特定のプログラムが動作可能な状態になった後であればよく、例えば、ステップＳ２０３で、起動プログラムを起動させて特定のプログラムを動作可能にした直後に消去してもよいし、ステップＳ２０６でデータ生成プログラムを起動させる前に消去してもよい。また、消去プログラムは少なくとも起動プログラムを消去すればよく、後の工程で記録するデータの再生に影響がなければ、消去プログラムや画像データなどの他のプログラムやデータは消去しなくてもよい。
【００５５】
その後、ステップＳ２１１でデータ記録プログラムを起動させ（記録装置１の操作者が起動させてもよいし、データの消去が終了したら自動的に起動するようにしてもよい。）、ステップＳ２１２で生成された画像再生機器用データや関連付けファイル等の画像再生機器用データ群を記録媒体９の内側に書き込み、必要に応じてセッションをクローズした後、ステップＳ２１３で、オリジナルデータや縮小画像データ、情報ファイル、ＢＧＭとして使用する音楽データなどのコンピュータ機器用データ群を画像再生機器用データ群の外側に書き込み処理を終了する。
【００５６】
上記手順で作成された記録媒体９には、図１２（ｂ）に示すように、最も内側の論理アドレス領域外には、所定の形式（好ましくはファイル名式でないデータ形式）の識別情報が記録され、その外側の論理アドレス領域の内側の、起動プログラムや消去プログラムなどが書き込まれていた領域には、画像再生機器用データ群が記録され、更にその外側には入力された画像データを含むコンピュータ機器用データ群が記録される。なお、本実施例においても記録媒体９におけるデータの記録構造は任意であり、また、画像データ群をデータ管理装置などにバックアップした場合における管理を容易にするために、メディア毎、機器毎、フィルム毎の画像データの格納場所を示すフォルダ（ROYYMMDDyyy_XXXXXXAABxxx）を作成したり、各々の画像データをCCYYMMDDxxxxxxなどにリネームすることもできる。
【００５７】
このように、本実施例の記録媒体９には、予め起動プログラムが記録されており、該記録媒体９を記録装置１に装填すると、起動プログラムにより、予め記録装置１にインストール又は記録手段に記録又はメモリ上に展開されたデータ生成プログラムやデータ記録プログラムなどの特定のプログラムが起動し、消去プログラムは、特定のプログラムが記録装置１で動作可能な状態であることを条件として、記録媒体９から少なくとも起動プログラムを消去し、その後、入力された画像データや該画像データに基づいて生成された画像再生機器用データを記録媒体９に書き込む制御を行う。これにより、書き込み領域が特定される画像再生機器用データであっても、該データを画像再生機器で再生可能に書き込むことができるため、起動プログラムが予め記録された記録媒体を書き込み用記録媒体として利用することができる。
【００５８】
なお、第１の実施例では、記録媒体９に予め特定のプログラムが記録され、第２の実施例では、記録媒体９に予め起動プログラムが記録されている構成としたが、記録媒体９に予め特定のプログラムの一方と、特定のプログラムの他方を起動させるための起動プログラムとが記録されている構成とすることもできる。また、上記実施例では、画像データを記録する場合について記載したが、本発明は上記実施例に限定されるものではなく、音楽データなどの他のデータを記録する場合に関しても、同様に適用することができる。
【図面の簡単な説明】
【００５９】
【図１】本発明の第１の実施例に係る記録装置の外観構成を示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る消去プログラムを利用したデータの記録手順を示すフローチャート図である。
【図７】本発明の第１の実施例に係る記録媒体におけるデータの記録領域を示す図である。
【図８】ＣＤ−Ｒの構造を模式的に示す斜視図である。
【図９】本発明の第１の実施例に係る記録媒体におけるデータの記録構造を示す図である。
【図１０】本発明の第２の実施例に係る記録装置の構成を示すブロック図である。
【図１１】本発明の第２の実施例に係る消去プログラムを利用したデータの記録手順を示すフローチャート図である。
【図１２】本発明の第２の実施例に係る記録媒体におけるデータの記録領域を示す図である。
【符号の説明】
【００６０】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ生成プログラムにより機能する手段
１４  データ記録プログラムにより機能する手段
１００  ポリカーボネート基板
１０１  有機色素層
１０２  反射層
１０３  保護層
【図１】
2006024078.tif 000003
【図２】
2006024078.tif 000004
【図３】
2006024078.tif 000005
【図４】
2006024078.tif 000006
【図５】
2006024078.tif 000007
【図６】
2006024078.tif 000008
【図７】
2006024078.tif 000009
【図８】
2006024078.tif 000010
【図９】
2006024078.tif 000011
【図１０】
2006024078.tif 000012
【図１１】
2006024078.tif 000013
【図１２】
2006024078.tif 000014